(57)【要約】【課題】  複数の記録媒体のカラーテーブルから構成されるドライバカラープロファイルを作成するシステムにおいて、新規に作成された記録媒体のカラーテーブルを既存のドライバカラープロファイルのいずれかの記録媒体のカラーテーブルと任意に入れかえることを目的とする。【解決手段】  チャートを出力する手段と、出力されたチャートを測色する手段と、測色されたデータと複数のパラメータからカラーテーブルを作成する手段と、作成されたカラーテーブルをドライバカラープロファイルに登録する手段を有する。【選択図】  図１
2006235945.tif 000002
【特許請求の範囲】
【請求項１】
インクジェットプリンタドライバの色管理を行うドライバカラープロファイルを作成するシステムにおいて、チャートを出力する手段と、出力されたチャートを測色する手段と、測色されたデータと複数のパラメータからカラーテーブルを作成する手段と、作成されたカラーテーブルの判定を行う手段を有し、作成されたカラーテーブルを既存のドライバカラープロファイルのいずれかの用紙種のカラーテーブルと入れ替えたドライバカラープロファイルを作成することを特徴とするドライバカラープロファイル作成システム。
【請求項２】
インクジェットプリンタドライバの色管理を行うドライバカラープロファイルを作成するシステムにおいて、既存のドライバカラープロファイルと新規に作成されたドライバカラープロファイルを入れ替えする手段を有する、前記請求項１記載のドライバカラープロファイル作成システム。
【請求項３】
インクジェットプリンタドライバの色管理を行うドライバカラープロファイルを作成するシステムにおいて、チャートを出力する手段と、出力されたチャートを測色する手段と、測色されたデータと複数のパラメータからカラーテーブルを作成する手段と、作成されたカラーテーブルの判定を行う手段を持ち、複数作成されたカラーテーブルを既存のドライバカラープロファイルのいずれか複数の用紙種のカラーテーブルと入れ替えたドライバカラープロファイルを作成することを特徴とするドライバカラープロファイル作成システム。
【請求項４】
インクジェットプリンタドライバの色管理を行うドライバカラープロファイルを作成するシステムにおいて、既存のドライバカラープロファイルと新規に作成されたドライバカラープロファイルを入れ替えする手段を有する、前記請求項３記載のドライバカラープロファイル作成システム。
【発明の詳細な説明】
【技術分野】
【０００１】
本発明はインクジェットプリンタドライバカラープロファイル作成システムに関する。また、本発明は紙、布帛等の記録媒体を用いる全てのインクジェットプリンタドライバプロファイル作成システム全てに適用する。
【背景技術】
【０００２】
画像データを、インクジェットプリンタにてプリンタドライバを介して印刷を行うとき、RGB画像データからプリンタの色C(C)M(M)YK変換をドライバカラープロファイルを用いてドライバ内部もしくはプリンタコントローラ内部にて行う。
【０００３】
ドライバカラープロファイルには、プリンタドライバ表示上で選択することが可能な用紙種（普通紙、コート紙、光沢紙・・・）ごとにRGBからC（C）M（M）YK色変換に必要なカラーテーブルが格納されている。
【０００４】
また、各用紙種ごとのカラーテーブルには、プリンタドライバ上で選択可能な印刷品質やドライバカラーマッチングごとのカラーテーブルも含まれている。
【０００５】
しかし、全世界的にプリンタ／プリンタドライバをリリースするにあたって、ドライバカラープロファイルの作成には以下のような問題点がある。
【０００６】
（問題点）
全世界的にプリンタ／プリンタドライバをリリースするにあたって、プリンタドライバ表示上の用紙種名は同じだが、各国で同一の印刷用紙を使用されるとは限られない。
【０００７】
特に産業用プリンタにおいては多量の印刷用紙を使用するため、印刷用紙コストなどのランニングコストが絡み、全世界で同一印刷用紙を使用することはありえない。
【０００８】
また、プリンタドライバリリース元の国では調達できるが、諸般の事情により他国では調達できない印刷用紙なども存在する。
そこで、各国でユーザーが独自に調達可能な印刷用紙が使用できることが望まれている。
【０００９】
通常、ドライバカラープロファイルには用紙種ごとにプリンタドライバリリース元が調達できる印刷用紙に最適なカラーテーブルデータが格納されている。
しかし、各国で同じ用紙種でも異なる印刷用紙を使用するため、プリンタドライバリリース元がリリースしたドライバカラープロファイルをそのまま使用すると、正確な色再現ができないことがある。
【００１０】
（問題点）に対する対処
上記問題点の対策として、プリンタドライバリリース元が各国の印刷用紙を調達して最適なドライバカラープロファイルを個々に作成して、各国にリリースする必要がある。
【００１１】
また、ユーザーが元画像データを修正して印刷を行うといった手法がとられている。
【００１２】
又、従来例としては、例えば特許文献１と特許文献２をあげることが出来る。
【特許文献１】特開2002-44479号公報
【特許文献２】特開2003-345547号公報
【発明の開示】
【発明が解決しようとする課題】
【００１３】
上述のように、従来は上記方法のように対処をしていた。
【００１４】
しかし、プリンタドライバリリース元で各国のドライバカラープロファイルを作成するには、印刷用紙の調達に非常に時間がかかる。
【００１５】
また、ドライバカラープロファイル作成作業には膨大な時間や煩雑な手間がかかるため作成作業者の負荷が非常に大きくなる。
【００１６】
さらに、各国個別のドライバカラープロファイルをリリースしても、何らかの理由で採用されていた印刷用紙が製造中止になり、新たな印刷用紙に置き換わったときなどにも、また同じように印刷用紙を調達して、ドライバカラープロファイルを作り直す必要が出てきてしまい、リリースするまでに非常に時間がかかってしまう弊害がある。
【００１７】
各国から印刷用紙調達するためにかかる輸送費用や、ドライバカラープロファイル作成に関わる人件費も大きくなる。
【００１８】
また、ユーザーが元画像を修正するには、プリンタの出力される色特性を熟知していなければならず、非常に膨大な経験が必要となる。
【００１９】
本発明は簡単にユーザーがプリンタドライバリリース元がリリースしたドライバカラープロファイルのデータを調達可能な印刷用紙のデータに入れ替えられることが可能なシステムを提供することを目的とする。
【００２０】
また、従来からの問題点であったドライバカラープロファイル作成にかかる時間やコストを大幅に節約するシステムを提供することを目的とする。
【課題を解決するための手段】
【００２１】
上記目的を達成するために、本発明はインクジェットプリンタドライバの色管理を行うドライバカラープロファイルを作成するシステムにおいて、チャートを出力する手段と、出力されたチャートを測色する手段と、測色されたデータと複数のパラメータからカラーテーブルを作成する手段と、作成されたカラーテーブルの判定を行う手段を有し、作成されたカラーテーブルを既存のドライバカラープロファイルのいずれかの用紙種のカラーテーブルと入れ替えたドライバカラープロファイルを作成することを特徴とするものである。
【発明の効果】
【００２２】
以上のように本発明によれば、簡単にユーザーがプリンタドライバリリース元がリリースしたドライバカラープロファイルのデータを調達可能な印刷用紙のデータに入れ替えられることが可能になる。
【００２３】
また、従来からの問題点であったドライバカラープロファイル作成にかかる時間やコストを大幅に節約するシステムを提供することも可能となる。
【発明を実施するための最良の形態】
【００２４】
（実施例１）
以下、図面を参照して本発明の実施例を説明する。
【００２５】
図１は本システムにおけるハードウェア構成を示す。
【００２６】
１０１はドライバカラープロファイルの作成処理を行うためのＰＣ、１０２は印刷用紙にチャートやパッチを出力させるためのインクジェットプリンタ、１０３は出力されたパッチやチャートを測色する測色機である。
【００２７】
１０４は１０１と１０２のデータをやり取りするためのインターフェースである。１０４はUSBやネットワークなどが一般的である。
【００２８】
１０５は１０１と１０３のデータをやり取りするためのインターフェースである。１０５はRS-232Cなどが一般的である。
【００２９】
なお、１０２は本システムによって作成されるドライバカラープロファイルを使用するプリンタドライバに準じた機種でなくてはならない。
【００３０】
図９は本システムのソフトウェア構成を示す。
【００３１】
９０１はソフトウェア全体を表す。
【００３２】
９０２はカラーテーブルを作成／登録するモジュールである。
【００３３】
９０３は９０２で作成されたカラープロファイルを示す。
【００３４】
９０４は９０２で作成されたカラープロファイルを所定の格納場所に格納するモジュールである。
【００３５】
図２は本システムの作業フローである。
【００３６】
図３は本システムで作業を行うためのユーザーインターフェースで１０１上に表示される。
【００３７】
本システムのユーザーインターフェースは作業手順をわかりやすくするため、上から順に作業を行えるようにしてある。
【００３８】
本システムにおける作業手順を図２、図３を用いて説明する。
【００３９】
本実施例では、コート紙のカラーテーブルを新コート紙のカラーテーブル入れ替えることを想定して説明する。
【００４０】
まずドライバカラープロファイルに登録する印刷用紙（新コート紙）を用意し、その用紙がプリンタに正常に通るかプリンタ通紙確認を行う（２０１）。
【００４１】
「正常に通る」とは、印刷途中に印刷用紙が絡まってしまったり、折れてしまったり、印字ヘッドに干渉したりしないような状態のことを言う。
【００４２】
印刷用紙が正常に通ることが確認されたら、これから作成される印刷用紙の（ドライバカラープロファイルに登録する）カラーテーブルをユーザーインターフェース上でプロジェクトとして登録する（３０１）。
【００４３】
なお、本システムにおいてはカラーテーブルの作成工程をプロジェクトファイルというファイルで管理しており、１つのプロジェクトファイルで１種類の印刷用紙のカラーテーブルを管理する。
【００４４】
図３においては「新コート紙」という名称でプロジェクト登録してある。
【００４５】
次に印刷用紙に最大インク打ち込み量を判別するためのチャートを印刷する（２０２）。
【００４６】
チャートの印刷は図３の３０２のボタンで行うことができる。
【００４７】
本システムでの最大インク打ち込み量判別チャートは、３０３のコンボボックスで選択できる数分（本システムでは、１６０％、１８０％、２００％、２２０％、２４０％の５種類）の最大打ち込み量で印刷したチャートデータが印刷されている。
【００４８】
最大インク打ち込み量チャートには、細線やカラーパッチなどが印刷されており、にじみや文字のつぶれなどが確認できるようにしてある。
【００４９】
印刷された最大打ち込み量判別チャートを目視して、最適な印刷用紙の最大インク打ち込み量を決定し、３０３でインク最大打ち込み量の設定を行う。
【００５０】
次に、設定されたインク最大打ち込み量で、測色チャートを印刷する。（２０３）。
【００５１】
測色チャートの印刷は図３の３０５で使用する測色機を選択し、３０４のボタンで行うことができる。
【００５２】
本システムでは２種類の測色機をサポートしている。選択された測色機によって、各々の測色機が測色することができる画像の測色チャートが印刷される。
【００５３】
次に、印刷された測色チャートを測色する（２０４）。
【００５４】
測色は図３の３０６で「チャート測色」を選択し、３０７のボタンで測色作業を行う。
【００５５】
図４は本システムの測色中の画面である。
【００５６】
４０１には測色されたパッチが表示される。
【００５７】
４０２には作業の進行状況をプログレスバーとして表示される。
【００５８】
測色された結果は測色ファイルとして、４０３ボタンによりファイル保存設定画面が表示され、ファイルに保存される。
【００５９】
保存された測色ファイルは、３０６で「測色ファイル指定」を選択し、３０８のボタンで読み込むこともできる。
【００６０】
次に、色空間範囲の設定を行う（２０５）。
【００６１】
色空間範囲の設定は図３の３０９から設定を行う。
【００６２】
本システムでは、３０９には「自動」、「gamutSS」、「gamutS」、「gamutM」、「gamutL」、「gamutLL」が登録されており、「gamutSS〜gamutLL」のデータをあらかじめ内部的に保持してある。
【００６３】
次に、カラーテーブルの作成を行う（２０６）
カラーテーブルの作成は図３の３１０のボタンによって作成処理が開始される。
【００６４】
カラーテーブルは、先に作成された測色ファイルと先に設定された色空間範囲の設定を基に作成される。
【００６５】
本システムでは、色空間範囲が「自動」に設定されているときには内部的に、最適と思われる色空間範囲が「gamutSS〜gamutLL」の中から選択される。
【００６６】
次に、カラーテーブルチェックを行う（２０７）。
【００６７】
カラーテーブルチェックは、先に作成されたカラーテーブルを使ってカラーテーブル確認用チャートを印刷し、作成されたカラーテーブルの精度を検証する。
【００６８】
図３の３１１のボタンにより、カラーテーブル確認用チャートを印刷する。
【００６９】
本システムのカラーテーブル確認用チャートは自然画、グラデーション、カラーパッチで構成されている。
【００７０】
出力されたカラーテーブル確認用チャートを目視して、グラデーションの白抜け、色とびや、自然画から肌色などのチェックを行うことができる。
【００７１】
また、カラーテーブル確認用チャートに印刷されているカラーパッチを測色して、測色結果から作成されたカラーテーブルの実力を数値で表現することもできる。
【００７２】
本システムにおいては、図３の３１２で「チャート測色」を選択し、３１３のボタンで測色作業を行う。
【００７３】
測色作業は先の測色チャートの作用と同様である。
【００７４】
測色された結果は測色ファイルとして、ファイルに保存される。
【００７５】
保存された測色ファイルは、３１２で「測色ファイル指定」を選択し、３１４のボタンで読み込むこともできる。
【００７６】
カラーテーブル確認用チャート３１５のボタンで先に作成されたカラーテーブルの精度を検証できる。
【００７７】
図５は検証結果表示画面である。
【００７８】
本システムではWincclorとの適合性を検証させている。
【００７９】
判定２０８で、カラーテーブル確認用チャートの目視結果と精度検証結果が良好でないとユーザーが判断したときは２０５の設定を変更してカラーテーブルを作成しなおす。
【００８０】
判定２０８で、カラーテーブル確認用チャートの目視結果と精度検証結果が良好とユーザーが判断したときは、図３の３１６にチェックをして、カラーテーブル作成の完了（プロジェクトの終了）する。
【００８１】
次に、作成されたカラーテーブルをドライバカラープロファイルに登録する（２０９）。
【００８２】
本システムでは図３の３１７のボタンでカラーテーブル登録の設定が行うことができる。
【００８３】
図６は本システムでのカラーテーブル登録画面である。
【００８４】
６０１には先に作成完了したカラーテーブルが登録される。
【００８５】
６０２にはプリンタドライバ上で選択できる用紙種名が登録されている。
【００８６】
６０１で作成されたカラーテーブルを、どのメディアと入れ替えるかの選択を６０２で設定し、決定したら６０３で登録決定をする。
【００８７】
登録決定されると、６０５にどのカラーテーブルをどの用紙種のカラーテーブルと入れ替えるかの表示がされる。
【００８８】
図６の場合は、「新コート紙」のカラーテーブルをドライバカラープロファイル内のコート紙カラーテーブルと入れ替えることを意味している。
【００８９】
設定を誤ったときは、６０５の設定表示個所にカーソルをあわせて６０４のボタン選択で、設定の解除が行える。
【００９０】
作成されたカラーテーブルの登録個所が決定したら６０６ボタンで、ドライバカラープロファイル作成処理が開始され、６０５に設定表示されたとおりのドライバカラープロファイルが作成される。
【００９１】
図７にドライバリリース元でリリースされたドライバカラープロファイルに、作成されたカラーテーブルを入れ替えたときの概念図を記す。
【００９２】
７０１はプリンタドライバリリース元からリリースされたオリジナルのドライバカラープロファイルの概念図である。
【００９３】
７０２は本システムで作成されたカラーテーブルをコート紙のカラーテーブルと入れ替えたときのドライバカラープロファイルの概念図である。
【００９４】
７０３は本システムで作成されたカラーテーブルである。
【００９５】
６０７ボタンでカラーテーブル登録画面を終了することができる。
【００９６】
作成されたドライバカラープロファイルを９０４のモジュールに入力し、プリンタドライバが指定するドライバカラープロファイル格納場所に格納すること（２１０）により、カラーテーブルが入れ替わったドライバカラープロファイルを使用することができる。
【００９７】
（実施例２）
実施例１では１つのカラーテーブルを作成して、１箇所を入れ替えたが、図８に記すように複数のカラーテーブルを作成して、複数箇所入れ替えても良い。
【００９８】
（実施例３）
実施例１では、紙を前提としたカラーテーブルの登録を記したが、インクジェットプリンタが布帛用インクで印刷可能ならば、布帛のカラーテーブル作業手順通りに作成して、カラープロファイルに登録しても良い。
【００９９】
（実施例４）
実施例１では属性が同じ記録媒体（コート紙と新コート紙）に関して説明したが、ドライバカラープロファイルに各用紙種の名称を書き込め、その名称がプリンタドライバ上の用紙種選択部で表示することができる場合、本システムのカラーテーブルの登録画面に任意の名称入力手段を付加することにより、全く属性も用紙種名称も異なる用紙種のカラーテーブルと入れ替えても良い。例えば、図１０のようにデフォルトのプリンタドライバでは用紙選択に登録されていない記録媒体（布帛など）のカラーテーブルを作成し、登録画面上で名称を入力して作成されたカラープロファイルを使用すれば、プリンタドライバ上の用紙選択で布帛などの記録媒体が表示されて選択できるようになる。
【図面の簡単な説明】
【０１００】
【図１】本システムのハードウェア構成。
【図２】本システムの作業フロー。
【図３】本システムのメイン画面。
【図４】本システムの測色作業画面。
【図５】本システムのテーブルテスト画面。
【図６】本システムのカラーテーブル登録設定画面。
【図７】オリジナルのドライバカラープロファイルと本システムで作成されたカラープロファイルの概念図。
【図８】実施例２における本システムのカラーテーブル登録設定画面。
【図９】本システムのソフトウェア構成。
【図１０】実施例４におけるカラーテーブル登録画面。
【図１】
2006235945.tif 000003
【図２】
2006235945.tif 000004
【図３】
2006235945.tif 000005
【図４】
2006235945.tif 000006
【図５】
2006235945.tif 000007
【図６】
2006235945.tif 000008
【図７】
2006235945.tif 000009
【図８】
2006235945.tif 000010
【図９】
2006235945.tif 000011
【図１０】
2006235945.tif 000012